【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
遊技に関わる有価価値情報を書込みが不能に設定された記録媒体の識別子に関連付けて管理する管理装置と遊技媒体貸出処理を行う遊技台に対応して設けられる各台装置とを有する遊技システムであって、
前記各台装置は、
前記記録媒体の識別子を取得する識別子取得手段と、
前記識別子取得手段によって取得された前記記録媒体の識別子へ関連付けて遊技媒体数および／または有価価値を前記有価価値情報として記憶させるよう指示する記憶指示手段と
を備え、
前記各台装置と通信する第一の管理装置は、
前記記憶指示手段によって前記有価価値情報の記憶指示を受け付けた場合に、前記有価価値情報を記憶する主記憶手段へ記憶させ、前記有価価値情報を同期させるよう前記第一の管理装置と通信する他の管理装置へ指示する同期制御手段
を備え、
前記他の管理装置は、
前記同期制御手段によって前記有価価値情報の同期指示を受け付けた場合に、前記有価価値情報を記憶する副記憶手段を備えた
ことを特徴とする遊技システム。
【請求項２】
前記同期制御手段は、
前記各台装置と前記第一の管理装置、前記第一の管理装置と前記他の管理装置のいずれもが通信可能である場合に、前記有価価値情報を前記主記憶手段へ記憶させ、前記同期指示を前記他の管理装置へ送信し、前記各台装置と前記第一の管理装置、前記第一の管理装置と前記他の管理装置のいずれかが通信不可である場合に、同期制御を行わないことを特徴とする請求項１に記載の遊技システム。
【請求項３】
前記他の管理装置は、
前記各台装置と前記第一の管理装置とが通信不可であり、かつ、前記有価価値情報の書き込みが不能に設定された前記記録媒体の識別子を取得した場合、取得した前記識別子に関連付けられて前記副記憶手段に記憶されている前記有価価値情報の一部または全部を前記有価価値情報の書き込みが可能に設定された記録媒体へ移行する移行手段
をさらに備えたことを特徴とする請求項２に記載の遊技システム。
【請求項４】
前記各台装置は、
前記移行手段によって移行された前記有価価値情報を取得する取得手段と、
前記取得手段によって取得された前記有価価値情報に基づいて前記遊技媒体の払出処理を行う払出手段と
をさらに備えたことを特徴とする請求項３に記載の遊技システム。
【請求項５】
前記第一の管理装置は、
通信不可であった前記各台装置と通信可能となった、および／または、通信不可であった前記他の管理装置と通信可能となったならば、前記副記憶手段に記憶されている前記有価価値情報に基づいて前記主記憶手段に記憶されている前記有価価値情報を更新する更新手段
をさらに備えたことを特徴とする請求項３または４に記載の遊技システム。
【請求項６】
前記他の管理装置は少なくとも前記記録媒体の識別子に関連付けられた有価価値を貨幣に精算する精算手段
をさらに備えたことを特徴とする請求項１〜５のいずれか一つに記載の遊技システム。
【手続補正２】
【補正対象書類名】明細書
【補正対象項目名】００１５
【補正方法】変更
【補正の内容】
【００１５】
上述した課題を解決し、目的を達成するため、本発明は、遊技に関わる有価価値情報を書込みが不能に設定された記録媒体の識別子に関連付けて管理する管理装置と遊技媒体貸出処理を行う遊技台に対応して設けられる各台装置とを有する遊技システムであって、前記各台装置は、前記記録媒体の識別子を取得する識別子取得手段と、前記識別子取得手段によって取得された前記記録媒体の識別子へ関連付けて遊技媒体数および／または有価価値を前記有価価値情報として記憶させるよう指示する記憶指示手段とを備え、前記各台装置と通信する第一の管理装置は、前記記憶指示手段によって前記有価価値情報の記憶指示を受け付けた場合に、前記有価価値情報を記憶する主記憶手段へ記憶させ、前記有価価値情報を同期させるよう前記第一の管理装置と通信する他の管理装置へ指示する同期制御手段を備え、前記他の管理装置は、前記同期制御手段によって前記有価価値情報の同期指示を受け付けた場合に、前記有価価値情報を記憶する副記憶手段を備えたことを特徴とする遊技システム。
【手続補正３】
【補正対象書類名】明細書
【補正対象項目名】００１７
【補正方法】変更
【補正の内容】
【００１７】
また、本発明は、上記の発明において、前記他の管理装置は、前記各台装置と前記第一
の管理装置とが通信不可であり、かつ、前記有価価値情報の書き込みが不能に設定された前記記録媒体の識別子を取得した場合、取得した前記識別子に関連付けられて前記副記憶手段に記憶されている前記有価価値情報の一部または全部を前記有価価値情報の書き込みが可能に設定された記録媒体へ移行する移行手段をさらに備えたことを特徴とする。
【手続補正４】
【補正対象書類名】明細書
【補正対象項目名】００１９
【補正方法】変更
【補正の内容】
【００１９】
また、本発明は、上記の発明において、前記第一の管理装置は、通信不可であった前記
各台装置と通信可能となった、および／または、通信不可であった前記他の管理装置と通
信可能となったならば、前記副記憶手段に記憶されている前記有価価値情報に基づいて前
記主記憶手段に記憶されている前記有価価値情報を更新する更新手段をさらに備えたこと
を特徴とする。
また、本発明は、上記の発明において、前記他の管理装置は少なくとも前記記録媒体の識別子に関連付けられた有価価値を貨幣に精算する精算手段をさらに備えたことを特徴とする。
【手続補正５】
【補正対象書類名】明細書
【補正対象項目名】００２０
【補正方法】変更
【補正の内容】
【００２０】
本発明によれば、遊技に関わる有価価値情報を書込みが不能に設定された記録媒体の識別子に関連付けて管理する管理装置と遊技媒体貸出処理を行う遊技台に対応して設けられる各台装置とを有する遊技システムであって、記録媒体の識別子を各台装置が取得し、取得された記録媒体の識別子へ関連付けて遊技媒体数および／または有価価値を有価価値情報として記憶させるよう各台装置が指示し、各台装置と通信する第一の管理装置は、有価価値情報の記憶指示を受け付けた場合に、有価価値情報を記憶する第一の管理装置へ記憶させ、有価価値情報を同期させるよう第一の管理装置と通信する他の管理装置へ指示し、他の管理装置は、有価価値情報の同期指示を受け付けた場合に、有価価値情報を記憶することとしたので、携帯端末の識別子に関連付けて持玉数やプリペイド価値等の有価価値を管理する管理装置と各台装置とがオフラインになった場合であっても、他の管理装置から有価価値情報を取得することができるという効果を奏する。
【手続補正６】
【補正対象書類名】明細書
【補正対象項目名】００２２
【補正方法】変更
【補正の内容】
【００２２】
また、本発明によれば、各台装置と第一の管理装置とが通信不可であり、かつ、有価価値情報の書き込みが不能に設定された記録媒体の識別子を取得した場合、取得した識別子に関連付けられて記憶されている有価価値情報の一部または全部を有価価値情報の書き込みが可能に設定された記録媒体へ他の管理装置が移行することとしたので、携帯端末の識別子に関連付けて持玉数やプリペイド価値等の有価価値を管理する装置と各台装置とがオフラインになった場合であっても、遊技客がかかる有価価値を利用して遊技することができるとともに携帯端末の利用を促進することができるという効果を奏する。
【手続補正７】
【補正対象書類名】明細書
【補正対象項目名】００２４
【補正方法】変更
【補正の内容】
【００２４】
また、本発明によれば、通信不可であった各台装置と通信可能となった、および／または、通信不可であった他の管理装置と通信可能となったならば、他の管理装置に記憶されている有価価値情報に基づいて第一の管理装置に記憶されている有価価値情報を第一の管理装置が更新することとしたので、オフラインから復旧した際に、カード等へ移行された有価価値情報と他の有価価値情報との同期を取ることができるという効果を奏する。
また、本発明は、記録媒体の識別子に関連付けられた有価価値を貨幣に精算する精算手段を備えた装置を他の管理装置として用いることにより、第一の管理装置と各台装置とがオフラインになった場合には、精算手段を備えた装置から有価価値情報を取得することができるという効果を奏する。